(57)【特許請求の範囲】
【請求項１】
対向して配置されかつ連結されて張力が加えられる対をなす連結部材と、これら連結部材間に配置された破壊可能な熱解除素子とを備え、
前記連結部材は、それぞれ第１および第２の脚部を設けたあぶみ構造に構成され、
鎖錠状態時に、前記一方の連結部材の第１の脚部が張力方向に抗して前記他方の連結部材の第２の脚部と係脱可能にそれぞれ係合するとともに前記一方の連結部材の第２の脚部が張力方向に抗して前記他方の連結部材の第１の脚部と係脱可能にそれぞれ係合し、前記熱解除素子が長手方向を係合し合う前記第１の脚部および前記第２の脚部間に前記一対の連結部材の張力方向に対して略垂直に支持された
ことを特徴とする防火装置用熱解除分離装置。
【請求項２】
第１の脚部および第２の脚部は、熱解除素子の中心軸を越えて他方の連結部材側に突出している
ことを特徴とした請求項１記載の防火装置用熱解除分離装置。
【請求項３】
第１の脚部および第２の脚部は、熱解除素子の中心軸に向かう方向の張力により弾性的に付勢されている
ことを特徴とした請求項１または２記載の防火装置用熱解除分離装置。
【請求項４】
一対の連結部材は、同一形状に形成され、張力方向を中心に略１８０°回転させた対称関係に配置された
ことを特徴とする請求項１ないし３いずれか一記載の防火装置用熱解除分離装置。
【請求項５】
一対の連結部材は、硬質で偏平な鋼片により形成された
ことを特徴とする請求項１ないし４いずれか一記載の防火装置用熱解除分離装置。
【請求項６】
第２の脚部は、鎖錠状態時に係合する他方の連結部材の第１の脚部の熱解除素子に面する側と反対側の面に係止可能に屈曲形成された
ことを特徴とする請求項１ないし５いずれか一記載の防火装置用熱解除分離装置。
【請求項７】
第１の脚部の先端には、鉤部が設けられ、
第２の脚部には、鎖錠状態時に前記鉤部が係合する開口部が設けられた
ことを特徴とする請求項１ないし６いずれか一記載の防火装置用熱解除分離装置。
【請求項８】
第２の脚部の端部には、楔状の耳部が設けられ、
第１の脚部には、前記耳部に対応する楔形状で鎖錠状態時に前記耳部が係合する窓が設けられた
ことを特徴とする請求項１ないし７いずれか一記載の防火装置用熱解除分離装置。
【請求項９】
連結部材は、張力を伝達するための略リングばね状のアイレットを備えた
ことを特徴とする請求項１ないし８いずれか一記載の防火装置用熱解除分離装置。
【請求項１０】
連結部材は、一部が張力方向を中心に略９０°捻って形成されたアイレットを備えた
ことを特徴とする請求項１ないし９いずれか一記載の防火装置用熱解除分離装置。
【請求項１１】
熱解除素子は、ガラス体を備えた
ことを特徴とする請求項１ないし１０いずれか一記載の防火装置用熱解除分離装置。
【発明の詳細な説明】
【０００１】
【発明の属する技術分野】
本発明は、対向して配置されかつ連結されて張力が加えられる一対の連結部材間に破壊可能な熱解除素子を保持し、熱によって解除作動される防火装置用熱解除分離装置に関する。
【０００２】
【従来の技術】
従来、この種の防火装置用熱解除分離装置としては、例えば２本のロープまたは類似の牽引体の間に配設されて、あぶみ構造の連結部材に張力が付勢されている。これらの防火装置用熱解除分離装置は、消火装置や、温度が一定の値を超えると安全機構が作動してバルブなどを開閉したり、排煙フラップを開いたり、通風ダクト内のフラップを閉じたりする開閉装置などに使用される。
【０００３】
そして、例えばドイツ国特許公開第１５５９６９３号明細書などに記載された防火装置用熱解除分離装置が知られている。このドイツ国特許公開第１５５９６９３号明細書に記載の防火装置用熱解除分離装置は、熱によって固定解除されるガラス球体またはアンプルにて形成された熱解除素子を備え、温度が一定の値を超えるとこのガラス球体またはアンプルが破壊されて解除作動、すなわちあぶみ構造の連結部材を互いに離反する方向に移動可能として適当な安全機構を作動させるように構成している。なお、ガラス球体またはアンプルは信頼性が高いため、スプリンクラの熱解除素子として有用であることが判明している。そして、張力は連結部材に作用するため、比較的大きな張力がある程度までガラス球体に伝達される可能性がある。
【０００４】
【発明が解決しようとする課題】
しかしながら、上記ドイツ国特許公開第１５５９６９３号明細書に記載の防火装置用熱解除分離装置では、連結部材により形成される力の平行四辺形は、圧縮力のみがガラス球体またはアンプルに伝達されるよう作用するが、この平行四辺形内の配置に問題があるため、圧縮力は連結部材の張力を上回ることとなり、ガラス球体またはアンプルが容認し難くなる。このため、ガラス球体またはアンプルは適切な強度を有する構造でなければならないが、これは反面感度が損なわれることにもなる。そして、近年のガラス球体またはアンプルは細身で、反応速度も速いので、圧縮力を減らすことによって、細身で反応の速いガラス球体を使用することが望ましい。
【０００５】
本発明は、このような問題点に鑑みて、構造が簡単で応答が必要となった際に確実に機能し、鎖錠状態時での熱解除素子に作用する圧縮力が低減して連結部材に作用する張力が低減する防火装置用熱解除分離装置を提供することを目的とする。
【０００６】
【課題を解決するための手段】
請求項１記載の防火装置用熱解除分離装置は、対向して配置されかつ連結されて張力が加えられる対をなす連結部材と、これら連結部材間に配置された破壊可能な熱解除素子とを備え、前記連結部材は、それぞれ第１および第２の脚部を設けたあぶみ構造に構成され、鎖錠状態時に、前記一方の連結部材の第１の脚部が張力方向に抗して前記他方の連結部材の第２の脚部と係脱可能にそれぞれ係合するとともに前記一方の連結部材の第２の脚部が張力方向に抗して前記他方の連結部材の第１の脚部と係脱可能にそれぞれ係合し、前記熱解除素子が長手方向を係合し合う前記第１の脚部および前記第２の脚部間に前記一対の連結部材の張力方向に対して略垂直に支持されたものである。
【０００７】
そして、２本の第１の脚部および第２の脚部を備え張力を略均一に吸収するあぶみ構造に構成された連結部材の両側の第１の脚部および第２の脚部は、他方の連結部材の第２の脚部および第１の脚部に張力に抗う方向にそれぞれ係合し、これら係合する第１の脚部および第２の脚部間に破壊可能な熱解除素子を、鎖錠状態時に張力方向に略垂直に架設して支持している。このため、一対の連結部材にて熱解除素子が張力方向に略垂直に配置された菱形形状のフレームが構成され、張力は対称的にあぶみ構造の連結部材に分散され、第１の脚部と第２の脚部との接続部分や第１の脚部および第２の脚部と熱解除素子との接続部分に作用する力は小さくなる。そして、一対の連結部材の鎖錠状態により、張力の作用点と熱解除素子との接点との間に形成され、張力を周囲に僅かに伝達して弱いばね効果を示す力の平行四辺形が構成され、この力の平行四辺形内に張力方向に略垂直な圧縮力が熱解除素子に作用することから、熱解除素子が張力方向を横切る構造とすることにより、張力を十分小さくした圧縮力となる。
【０００８】
請求項２記載の防火装置用熱解除分離装置は、請求項１記載の防火装置用熱解除分離装置において、第１の脚部および第２の脚部は、熱解除素子の中心軸を越えて他方の連結部材側に突出しているものである。
【０００９】
そして、各連結部材の第１の脚部および第２の脚部が熱解除素子の中心軸を越えて他方の連結部材側に延設されているため、熱解除素子が熱の影響下で破壊されて力の平行四辺形が崩れると、係合する第１の脚部および第２の脚部が分離する力が張力に比例して増大することにより、張力荷重により熱解除素子を支持するそれぞれ係合する第１の脚部および第２の脚部が強制的に分離し、応答が必要となった際に確実に機能する。
【００１０】
請求項３記載の防火装置用熱解除分離装置は、請求項１または２記載の防火装置用熱解除分離装置において、第１の脚部および第２の脚部は、熱解除素子の中心軸に向かう方向の張力により弾性的に付勢されているものである。
【００１１】
そして、第１の脚部および第２の脚部が熱解除素子の中心軸に向かう方向の張力により弾性的に付勢されていることから、連結部材同士が摩擦係合状態に保たれ、連結部材は僅かに付勢されることとなり、張力が全く掛からなくても、応答が必要となった際に確実に機能する。
【００１２】
請求項４記載の防火装置用熱解除分離装置は、請求項１ないし３いずれか一記載の防火装置用熱解除分離装置において、一対の連結部材は、同一形状に形成され、張力方向を中心に略１８０°回転させた対称関係に配置されたものである。
【００１３】
そして、同一形状の一対の連結部材を張力方向を中心に略１８０°回転させた対称関係に配置するため、安価となる。
【００１４】
請求項５記載の防火装置用熱解除分離装置は、請求項１ないし４いずれか一記載の防火装置用熱解除分離装置において、一対の連結部材は、硬質で偏平な鋼片により形成されたものである。
【００１５】
そして、連結部材を硬質で偏平な鋼片により形成するため、簡単な構造で製造が容易である。
【００１６】
請求項６記載の防火装置用熱解除分離装置は、請求項１ないし５いずれか一記載の防火装置用熱解除分離装置において、第２の脚部は、鎖錠状態時に係合する他方の連結部材の第１の脚部の熱解除素子に面する側と反対側の面に係止可能に屈曲形成されたものである。
【００１７】
そして、第２の脚部を鎖錠状態時に係合する他方の連結部材の第１の脚部の熱解除素子に面する側と反対側の面に係止可能に屈曲形成したため、第１の脚部および第２の脚部が鎖錠状態時に相互に支持し合い、熱解除素子を中心部分に位置させる力の平行四辺形が任意に形成される。
【００１８】
請求項７記載の防火装置用熱解除分離装置は、請求項１ないし６いずれか一記載の防火装置用熱解除分離装置において、第１の脚部の先端には、鉤部が設けられ、第２の脚部には、鎖錠状態時に前記鉤部が係合する開口部が設けられたものである。
【００１９】
そして、第１の脚部の先端に、第２の脚部に設けた開口部に係合して鎖錠状態となる鉤部を設けたため、熱解除素子が熱の影響下で破壊すると、鎖錠状態時に張力が伝達されて係合する第１の脚部および第２の脚部が支障なく解除し、応答が必要となった際に確実に機能する。
【００２０】
請求項８記載の防火装置用熱解除分離装置は、請求項１ないし７いずれか一記載の防火装置用熱解除分離装置において、第２の脚部の端部には、楔状の耳部が設けられ、第１の脚部には、前記耳部に対応する楔形状で鎖錠状態時に前記耳部が係合する窓が設けられたものである。
【００２１】
そして、第１の脚部に第２の脚部の端部に設けた楔状の耳部に対応する楔形状で鎖錠状態時に耳部が係合する窓を設けたため、鎖錠状態での熱解除素子に対して第１の脚部および第２の脚部が確実に支持位置決めされ、耳部および窓のくさび形状によりあぶみ構造の張力軸を中心としたねじれが確実に防止されるとともに、耳部が窓内に係合することにより圧縮力が作用する際に連結部材が互いに近接する方向に押圧されることが防止される。
【００２２】
請求項９記載の防火装置用熱解除分離装置は、請求項１ないし８いずれか一記載の防火装置用熱解除分離装置において、連結部材は、張力を伝達するための略リングばね状のアイレットを備えたものである。
【００２３】
そして、連結部材に張力を伝達するための略リングばね状のアイレットを設けたため、ばね体を形成するアイレットのばね力により、付勢力が付与されるとともに、例えば牽引ロープに接続するのに特に適した形状が得られる。
【００２４】
請求項１０記載の防火装置用熱解除分離装置は、請求項１ないし９いずれか一記載の防火装置用熱解除分離装置において、連結部材は、一部が張力方向を中心に略９０°捻って形成されたアイレットを備えたものである。
【００２５】
そして、連結部材の一部を張力方向を中心に略９０°捩ってアイレットを形成するため、例えばピンやボルトに装着するのに特に適した平坦な形状に形成される。
【００２６】
請求項１１記載の防火装置用熱解除分離装置は、請求項１ないし１０いずれか一記載の防火装置用熱解除分離装置において、熱解除素子は、ガラス体を備えたものである。
【００２７】
そして、圧縮力が低減することによりガラス体が細身に形成されて、反応速度が早く高信頼性が得られ、応答が必要となった際に確実に機能する。
【００２８】
【発明の実施の形態】
以下、本発明の防火装置用熱解除分離装置の実施の一形態の構成を図面を参照して説明する。
【００２９】
図１ないし図５において、１は防火装置用熱解除分離装置で、この防火装置用熱解除分離装置１は、防火システム用の熱によって解除作動する分離装置である。
【００３０】
なお、図１において、Ｄは熱解除素子に作用する圧縮力を表わし、Ｚは張力を表わす。
【００３１】
そして、図１ないし図５において、防火装置用熱解除分離装置１は対をなす一対のあぶみ形状の連結部材２，３を備え、これら連結部材２，３は硬化ばね鋼、すなわち偏平な短冊状の鋼板にてあぶみ構造に製造されている。なお、これら連結部材２，３は、金属シート素材を変形後に硬化して製造される。また、連結部材２，３には、それぞれリング状のばねを構成するアイレット４が設けられている。さらに、このアイレット４から２本の異なる第１の脚部５および第２の脚部６が突設され、第１の脚部５および第２の脚部６が張力Ｚの約５０％を吸収する。
【００３２】
また、図３に示すように、一対の連結部材２，３は、通常鎖錠状態にある。さらに、これら２つの連結部材２，３の間に熱解除素子を構成するガラス球体７が架設されている。そして、２つの連結部材２，３は、噛合い係合およびガラス球体７による僅かな付勢力によって鎖錠状態に保持されている。なお、これら連結部材２，３に掛かる張力Ｚは、図３ないし図５に示す平面における２つのアイレット４，４のそれぞれの中心を通過する方向に掛かる。
【００３３】
一方、ガラス球体７は各連結部材２，３の第１の脚部５，５間に支持されている。そして、これら２本の第１の脚部５，５は、それぞれ張力Ｚとほぼ同一の方向に延設され、ガラス球体７を支持するための開口部８，８をそれぞれ形成している。また、連結部材２，３の第２の脚部６，６はそれぞれ屈曲形成され、これら第２の脚部６，６の屈曲部分がガラス球体７の略軸上に位置している。そして、これら第２の脚部６，６により、ガラス球体７を支持している第１の脚部５，５が支持されている。
【００３４】
そして、所定の機能を発揮させるとともに張力Ｚを吸収するように、一対の連結部材２，３同士を支障なく接続するために、第１の脚部５，５の先端には隣接する第２の脚部６，６にそれぞれ設けられた開口部９，９内に係合する鉤部10，10がそれぞれ設けられている。なお、連結部材２，３の鎖錠状態において、上下に位置する各第１の脚部５，５の鉤部10，10と各第２の脚部６，６の開口部９，９との接続位置において張力Ｚを半分ずつ吸収する。
【００３５】
さらに、第２の脚部６，６の先端には、それぞれ第２の脚部６，６の先端方向に突出する楔形状の耳部12，12がそれぞれ形成されている。そして、連結部材２，３の鎖錠状態において、これら耳部12，12は、これと対応してガラス球体７を支持する隣接した第１の脚部５，５に設けられた楔形の窓13，13内にそれぞれ挿入される。
【００３６】
また、連結部材２，３の第１の脚部５，５および第２の脚部６，６は、ガラス球体７への張力により僅かに付勢されている。この付勢張力を付与するためのばね力は、ばねを形成する略円環状のアイレット４で付与される。
【００３７】
さらに、連結部材２，３の第１の脚部５，５および第２の脚部６，６がアイレット４，４を略閉塞する程度に略同心的に切り起こされて突部14，14がそれぞれ形成されている。この突部14，14によるアイレット４，４を略閉塞した構造により、ガラス球体７に張力がまったく作用していない状態でも、例えばアイレット４，４に接続された図示しないロープは確実にガラス球体７の方向に移動可能となる。
【００３８】
そして、連結部材２，３の鎖錠状態時には、ガラス球体７を支持している第１の脚部５，５の各鉤部10，10は、それぞれ他方の連結部材３，２の第２の脚部６，６の対応する各開口部９，９内に挿入され、ガラス球体７を支持していない第２の脚部６，６の楔形の各耳部12，12は、ガラス球体７を支持している隣接した第１の脚部５，５の対応する各窓13，13内に挿入されている。なお、この鎖錠状態時にガラス球体７に圧縮力Ｄが作用しているが、この圧縮力Ｄは全体の約３０％である。また、付勢張力は無視できるほど小さい。
【００３９】
次に、上記実施の形態の作用を説明する。
【００４０】
応答が必要となる事態が生じた時、すなわち熱の影響により熱解除素子であるガラス球体７が破壊すると、力の平行四辺形は崩れようとする。しかしながら、ガラス球体７を支持していない方の第２の脚部６，６がガラス球体７の中心軸より先に突出しており、第２の脚部６，６が幅狭となって耳部12，12を形成している先端部がそれぞれ第１の脚部５，５に係止されているので、これら第１の脚部５，５が鉤部10，10の突出する方向と逆方向に回動して鎖錠状態を解除するため、平行四辺形の崩壊は初期段階では防がれている。そして、双方の力は比例関係にあるため、例え張力が大きくても、ガラス球体７の破壊により確実に鎖錠状態を解除できる。また、連結部材２，３は僅かに付勢されているため、張力がなくとも連結部材２，３は分離開放できる。
【００４１】
上記実施の形態では、２本の第１の脚部５および第２の脚部６を備え張力Ｚを略均一に吸収するあぶみ構造に構成された一対の連結部材２，３の両側の第１の脚部５および第２の脚部６は、他方の連結部材３，２の第２の脚部６および第１の脚部５に張力Ｚに抗う方向に噛合って係合し、これら噛合う第１の脚部５，５および第２の脚部６，６間に破壊可能な熱解除素子であるガラス球体７を、鎖錠状態時に張力Ｚの方向に略垂直に架設して支持している。
【００４２】
このため、一対の連結部材２，３にてガラス球体７が張力Ｚの方向に略垂直に配置された菱形形状のフレームが構成され、張力Ｚは対称的にあぶみ構造の連結部材２，３に分散され、第１の脚部５と第２の脚部６との接続部分や第１の脚部５および第２の脚部６とガラス球体７との接続部分に作用する力は全張力Ｚの略５０％程度に低減する。そして、一対の連結部材２，３の鎖錠状態により、力の平行四辺形が構成され、この力の平行四辺形内に張力方向に略垂直な圧縮力Ｄがガラス球体７に作用することから、ガラス球体７が張力Ｚの方向を横切る構造とすることにより、圧縮力Ｄを張力Ｚに対して約７０％下回る値に低減できる。
【００４３】
また、各連結部材２，３の第１の脚部５，５および第２の脚部６，６がガラス球体７の中心軸を越えて他方の連結部材３，２側に延設されているため、ガラス球体７が熱の影響下で破壊されて力の平行四辺形が崩れると、噛合う第１の脚部５，５および第２の脚部６，６が分離する梃の力が張力Ｚに比例して増大することにより、張力荷重によりガラス球体７を支持する噛合う第１の脚部５，５および第２の脚部６，６が強制的に分離し、応答が必要となった際に確実に機能できる。
【００４４】
さらに、第１の脚部５，５および第２の脚部６，６がガラス球体７の中心軸に向かう方向の張力Ｚにより弾性的に付勢されていることから、連結部材２，３同士が摩擦係合状態に保たれ、連結部材２，３は僅かに付勢されることとなり、張力Ｚが全く掛からなくても、応答が必要となった際に確実に機能できる。
【００４５】
そして、同一形状の一対の連結部材２，３を張力方向を中心に略１８０°回転させた対称関係に配置したため、安価に製造できる。
【００４６】
また、連結部材２，３を硬質で偏平な鋼片により形成したため、簡単な構造で容易に製造できる。
【００４７】
さらに、ガラス球体７を直接支持しない第２の脚部６，６を鎖錠状態時に噛合う他方の連結部材２，３のガラス球体７を直接支持する第１の脚部５，５のガラス球体７に面する側と反対側の面に係止可能に屈曲形成したため、第１の脚部５，５および第２の脚部６，６が鎖錠状態時に相互に支持し合い、ガラス球体７を中心部分に位置させる力の平行四辺形を任意に形成できる。
【００４８】
また、ガラス球体７を直接支持する第１の脚部５，５の先端に、第２の脚部６，６に設けた開口部９，９にそれぞれ係合して鎖錠状態となる鉤部10，10をそれぞれ設けたため、ガラス球体７が熱の影響下で破壊すると、鎖錠状態時に張力Ｚが伝達されて噛合う第１の脚部５，５および第２の脚部６，６が支障なく解除し、応答が必要となった際に確実に機能できる。
【００４９】
さらに、ガラス球体７を直接支持する第１の脚部５，５に、第２の脚部６，６の端部に設けた楔状の耳部12，12に対応する楔形状で鎖錠状態時に耳部12，12がそれぞれ係合する窓13，13をそれぞれ設けたため、鎖錠状態でのガラス球体７に対して第１の脚部５，５および第２の脚部６，６が確実に支持位置決めされ、耳部12，12および窓13，13のくさび形状によりあぶみ構造の張力Ｚの軸を中心としたねじれが確実に防止されるとともに、耳部12，12が窓13，13内に係合することにより圧縮力Ｄが作用する際に連結部材２，３が互いに近接する方向に押圧されることが防止される。
【００５０】
また、連結部材２，３に張力を伝達するための略リング状のばねとしてのアイレット４，４をそれぞれ設けたため、ばね体を形成するアイレット４，４のばね力により、付勢力Ｄが付与されるとともに、例えば牽引ロープに接続するのに特に適した形状が得られる。
【００５１】
そして、熱解除素子としてガラス球体７を用いたため、ガラス球体７に掛かる圧縮力Ｄが減少するので、ガラス球体７を細身に形成でき、反応速度が早くなるとともに、信頼性が高くなり、応答が必要となった際に確実に機能できる。
【００５２】
なお、上記実施の形態において、熱解除素子としては、はんだ付けされた素子などのガラス体以外の熱反応素子を使用してもよい。
【００５３】
また、各連結部材２，３は、必ずしも単一の部材で構成する必要はなく、上述のように力が伝達されるならいくつかの部材を組み合わせて構成してもよい。
【００５４】
次に、本発明の防火装置用熱解除分離装置の他の実施の形態の構成を図６ないし図９を参照して説明する。
【００５５】
この図６ないし図９に示す実施の形態は、上記図１ないし図５に示す実施の形態のアイレット４の別の構造のアイレット21を備えたものである。
【００５６】
すなわち、図６ないし図９において、アイレット21は、あぶみ構造を形成している金属シート素材を張力軸を中心に９０°ねじることにより、ボルトやネジに容易に接続できる偏平な形状に形成されている。なお、熱解除素子のガラス球体７に作用する付勢力Ｄを発生させるばね力は、第１の脚部５および第２の脚部６に備わっている。
【００５７】
そして、図１ないし図５に図示する実施の形態と同様、ガラス球体７に作用する付勢力Ｄは、応答が必要になり熱解除素子であるガラス球体７が破壊されると、図８に示すように、各鉤部10，10が支障なく開口部９，９から外に押し出される。
【００５８】
上記図６ないし図９に示す実施の形態では、金属シート素材にて形成される連結部材２，３の一部を張力方向を中心に略９０°捩ってアイレット21，21をそれぞれ形成するため、例えばピンやボルトに装着するのに特に適した平坦な形状に形成できる。
【００５９】
以上、本発明の要旨を明らかにするために本発明の特定の実施の形態を詳細に説明したが、上記要旨を逸脱することなしに別の様態にて本発明を実施することも可能である。
【００６０】
【発明の効果】
請求項１記載の防火装置用熱解除分離装置によれば、張力を略均一に吸収するあぶみ構造に構成された連結部材の２本の両側の第１の脚部および第２の脚部は、他方の連結部材の第２の脚部および第１の脚部に張力に抗う方向にそれぞれ係合し、これら係合する第１の脚部および第２の脚部間に破壊可能な熱解除素子を、鎖錠状態時に張力方向に略垂直に架設して支持するため、一対の連結部材にて熱解除素子が張力方向に略垂直に配置された菱形形状のフレームが構成され、張力は対称的にあぶみ構造の連結部材に分散され、第１の脚部と第２の脚部との接続部分や第１の脚部および第２の脚部と熱解除素子との接続部分に作用する力は小さくなり、一対の連結部材の鎖錠状態により、張力の作用点と熱解除素子との接点との間に形成され、張力を周囲に僅かに伝達して弱いばね効果を示す力の平行四辺形が構成され、この力の平行四辺形内に張力方向に略垂直な圧縮力が熱解除素子に作用することから、熱解除素子が張力方向を横切る構造とすることにより、張力を十分小さくした圧縮力に低減できる。
【００６１】
請求項２記載の防火装置用熱解除分離装置によれば、請求項１記載の防火装置用熱解除分離装置の効果に加え、各連結部材の第１の脚部および第２の脚部が熱解除素子の中心軸を越えて他方の連結部材側に延設されているため、熱解除素子が熱の影響下で破壊されて力の平行四辺形が崩れると、係合する第１の脚部および第２の脚部が分離する力が張力に比例して増大することにより、張力荷重により熱解除素子を支持するそれぞれ係合する第１の脚部および第２の脚部が強制的に分離し、応答が必要となった際に確実に機能できる。
【００６２】
請求項３記載の防火装置用熱解除分離装置によれば、請求項１または２記載の防火装置用熱解除分離装置の効果に加え、第１の脚部および第２の脚部が熱解除素子の中心軸に向かう方向の張力により弾性的に付勢されていることから、連結部材同士が摩擦係合状態に保たれ、連結部材は僅かに付勢されることとなり、張力が全く掛からなくても、応答が必要となった際に確実に機能できる。
【００６３】
請求項４記載の防火装置用熱解除分離装置によれば、請求項１ないし３いずれか一記載の防火装置用熱解除分離装置の効果に加え、同一形状の一対の連結部材を張力方向を中心に略１８０°回転させた対称関係に配置するため、安価に製造できる。
【００６４】
請求項５記載の防火装置用熱解除分離装置によれば、請求項１ないし４いずれか一記載の防火装置用熱解除分離装置の効果に加え、連結部材を硬質で偏平な鋼片により形成するため、簡単な構造で容易に製造できる。
【００６５】
請求項６記載の防火装置用熱解除分離装置によれば、請求項１ないし５いずれか一記載の防火装置用熱解除分離装置の効果に加え、第２の脚部を鎖錠状態時に係合する他方の連結部材の第１の脚部の熱解除素子に面する側と反対側の面に係止可能に屈曲形成したため、第１の脚部および第２の脚部が鎖錠状態時に相互に支持し合い、熱解除素子を中心部分に位置させる力の平行四辺形を任意に形成できる。
【００６６】
請求項７記載の防火装置用熱解除分離装置によれば、請求項１ないし６いずれか一記載の防火装置用熱解除分離装置の効果に加え、第１の脚部の先端に、第２の脚部に設けた開口部に係合して鎖錠状態となる鉤部を設けたため、熱解除素子が熱の影響下で破壊すると、鎖錠状態時に張力が伝達されて噛合う第１の脚部および第２の脚部が支障なく解除でき、応答が必要となった際に確実に機能できる。
【００６７】
請求項８記載の防火装置用熱解除分離装置によれば、請求項１ないし７いずれか一記載の防火装置用熱解除分離装置の効果に加え、第１の脚部に第２の脚部の端部に設けた楔状の耳部に対応する楔形状で鎖錠状態時に耳部が係合する窓を設けたため、鎖錠状態での熱解除素子に対して第１の脚部および第２の脚部を確実に支持位置決めでき、耳部および窓のくさび形状によりあぶみ構造の張力軸を中心としたねじれが確実に防止できるとともに、耳部が窓内に係合することにより圧縮力が作用する際に連結部材が互いに近接する方向に押圧されることを防止できる。
【００６８】
請求項９記載の防火装置用熱解除分離装置によれば、請求項１ないし８いずれか一記載の防火装置用熱解除分離装置の効果に加え、連結部材に張力を伝達するための略リングばね状のアイレットを設けたため、ばね体を形成するアイレットのばね力により、付勢力を付与できるとともに、例えば牽引ロープに接続するのに特に適した形状が得られる。
【００６９】
請求項１０記載の防火装置用熱解除分離装置によれば、請求項１ないし９いずれか一記載の防火装置用熱解除分離装置の効果に加え、連結部材の一部を張力方向を中心に略９０°捩ってアイレットを形成するため、例えばピンやボルトに装着するのに特に適した平坦な形状に形成できる。
【００７０】
請求項１１記載の防火装置用熱解除分離装置によれば、請求項１ないし１０いずれか一記載の防火装置用熱解除分離装置の効果に加え、圧縮力が低減することによりガラス体を細身に形成でき、反応速度が早く高信頼性が得られ、応答が必要となった際に確実に機能できる。
【図面の簡単な説明】
【図１】本発明による防火装置用熱解除分離装置の実施の一形態を示す力の平行四辺形を説明した側面図である。
【図２】同上防火装置用熱解除分離装置を示す平面図である。
【図３】同上図２に示す防火装置用熱解除分離装置の鎖錠状態での側面図である。
【図４】同上図２に示す防火装置用熱解除分離装置のガラス球体の破壊直後の状態を示す側面図である。
【図５】同上防火装置用熱解除分離装置の一対の連結部材の分離後の状態を示す側面図である。
【図６】本発明の防火装置用熱解除分離装置の他の実施の形態を示す側面図である。
【図７】同上図６に示す防火装置用熱解除分離装置の鎖錠状態での側面図である。
【図８】同上防火装置用熱解除分離装置のガラス球体の破壊直後の状態を示す側面図である。
【図９】同上防火装置用熱解除分離装置の一対の連結部材の分離後の状態を示す側面図である。
【符号の説明】
１    防火装置用熱解除分離装置
２，３    連結部材
４，21    アイレット
５    第１の脚部
６    第２の脚部
７    熱解除素子としてのガラス球体
９    開口部
10    鉤部
12    耳部
13    窓
【図１】
0003639413.tif 000002
【図２】
0003639413.tif 000003
【図３】
0003639413.tif 000004
【図４】
0003639413.tif 000005
【図５】
0003639413.tif 000006
【図６】
0003639413.tif 000007
【図７】
0003639413.tif 000008
【図８】
0003639413.tif 000009
【図９】
0003639413.tif 000010